(57)【特許請求の範囲】
【請求項１】
複数のパネルが左右方向に隣接して構成されている壁パネルが、建物の層間変形に対して追従可能にその建物の躯体に取り付けられている壁パネルの取付け構造において、前記壁パネルの縦目地部に狭持されている剛体から成る小口面当接部材の一部が前記建物の躯体に固定されていることを特徴とする壁パネルの取付け構造。
【請求項２】
前記小口面当接部材は前記壁パネルの縦目地部の上端から下端まで連続しているとともにその両端部が前記躯体に固定されている請求項１記載の壁パネルの取付け構造。
【請求項３】
前記小口面当接部材は前記壁パネルの縦目地部の上部と下部とに分離して狭持されている請求項１記載の壁パネルの取付け構造。
【請求項４】
前記小口面当接部材は前記壁パネルの各縦目地部に狭持されている請求項１、２または３記載の壁パネルの取付け構造。
【請求項５】
前記小口面当接部材は鋼材である請求項１、２、３または４記載の壁パネルの取付け構造。
【請求項６】
前記鋼材はアングル鋼材である請求項５記載の壁パネルの取付け構造。
【請求項７】
前記壁パネルは、軽量気泡コンクリートパネルで構成されている請求項１から６のいずれか１項記載の壁パネルの取付け構造。
【発明の詳細な説明】
【０００１】
【発明の属する技術分野】
本発明は、パネルに内装用ボード等が貼着されていることによりパネルのロッキングが阻害されても、建物の層間変形に伴ってパネルを強制的に追従させてパネルの損傷を防止できる壁パネルの取付け構造に関するものである。
【０００２】
【従来の技術】
建築用壁パネルの内で、軽量気泡コンクリートパネルから構成される壁パネルは、地震等による建物の層間変形に対してパネルを追従可能にするため、一般に図７に示すようなパネル取付け部材５によって、建物の梁８に取付けられている。すなわち、上層のパネル４下部のパネル取付け部１０ａに係止されている稲妻プレート５ａと、定規アングル７に固定されて上層のパネル４を支持する自重受け金具５ｂと、一端部が下層のパネル４の上部のパネル取付け部１０ｂに係止されているとともに他端部が自重受け金具５ｂに貫通している短冊プレート５ｃ等から成るパネル取付け部材５によって、パネル４が梁８に固定されている。これによりパネル４の上下部のパネル取付け部１０ａ、１０ｂを支点としてパネルがロッキングできるようになり、建物の層間変形に対してパネル４が追従可能な構造となっている。
【０００３】
【発明が解決しようとする課題】
一方、図８に示すように、住宅あるいは事務所等の建物において木質ボードや石膏ボード等の内装材９が、壁パネルの室内側表面に直接貼着されることが一般的に行われている。そのため、上記の取付構造を採ることによって建物の層間変形に対してパネル４が追従可能な取付け構造になっているにもかかわらず、内装材９によって複数のパネル４が一体化されてしまい各パネル４が独自にロッキングできなくなる。そして地震等の外力１１によって建物の層間変形が生じた際には、パネル４が層間変形に追従できなくなるためそのパネル取付け部１０ａ、１０ｂに負担がかかり、図８に示すように、パネル４にひび割れ１２や破損が発生したり、また大きな地震の際にはパネル４が建物から落下したりする危険性もあった。さらに、ひび割れ１２や破損したパネルの修繕には多大な費用がかかっていた。
そこで本発明の目的は、建物の層間変形に対するパネルの追従を阻害する要因があっても、強制的にパネル４を追従させて壁パネルの損傷を防止できる壁パネルの取付け構造を提供することにある。
【０００４】
【課題を解決するための手段】
本発明は、前記課題を解決するために、
複数のパネルが左右方向に隣接して構成されている壁パネルが、建物の層間変形に対して追従可能にその建物の躯体に取り付けられている壁パネルの取付け構造において、前記壁パネルの縦目地部に狭持されている剛体から成る小口面当接部材の一部が前記建物の躯体に固定されている壁パネルの取付け構造とした。
【０００５】
以下に本発明の作用を説明する。
本発明の壁パネルの取付け構造は、複数のパネルが左右方向に隣接して構成されている壁パネルの縦目地部に剛体から成る小口面当接部材が狭持されて、さらにその小口面当接部材の一部が建物の躯体に固定されている。このため建物に層間変形を発生させる外力が躯体に加わった場合、その外力が小口面当接部材を経由してパネル長辺小口面を直接押すことになる。その結果、たとえパネルの追従（ロッキング）を阻害する要因があっても、強制的にパネル４を追従させることが可能になるため、パネル取付け部１０に対して負担がかからなくなり、パネルにひび割れ等の損傷がなくなる。
【０００６】
【発明の実施の形態】
以下、本発明の実施形態を軽量気泡コンクリートパネルに適用した図１〜図６に基づいて説明する。なお、符号は従来例と同一のものは同一符号を付した。
【０００７】
図１および図２に示すように、軽量気泡コンクリートパネル（以下パネルという。）４は、その上下端部でかつパネル幅方向の中心部において、後述のパネル取付け部材５を介してパネル取付け部１０ａ、１０ｂを支点としてロッキング可能なように、梁８に固定されている。すなわち、上層のパネル４下部のパネル取付け部１０ａに係止されている稲妻プレート５ａと、定規アングル７に固定されて上層のパネル４を支持する自重受け金具５ｂと、一端部が下層のパネル４の上部のパネル取付け部１０ｂに係止されているとともに他端部が自重受け金具５ｂに貫通している短冊プレート５ｃ等のパネル取付け部材５によって、パネル４が梁８に固定されている。
【０００８】
そしてパネル４の縦目地部３には小口面当接部材１として平鋼１ａが上部と下部とに分離して狭持されており、かつパネル４上部の平鋼１ａの一部に形成された突起部１ａａが、梁８に固定されているアングルピース２に溶接固定されて平鋼１ａがパネル小口面３ａに当接しており、またパネル４下部の平鋼１ａの一部も突起部１ａａにより定規アングル７に直接固定されて平鋼１ａがパネル小口面３ａに当接している。
【０００９】
図１および図２に示す実施形態のように、平鋼１ａが壁パネルの縦目地部３の上部と下部とに分離して狭持されていると、少ない部材によってパネル長辺小口面３ａを押す効果が十分得られるようになり、また平鋼１ａに設けられた突起部１ａａをアングルピース２あるいは定規アングル７に溶接固定すると、平鋼１ａが縦目地部３に狭持されてほとんど隠れるようになり望ましい。
【００１０】
次に、第２の実施形態を図３に基づいて説明する。第１の実施形態と同様に３つのパネル取付け部材５によって、パネル４がパネル取付け部１０ａ、１０ｂを支点としてロッキング可能なように、梁８に固定されている。また小口面当接部材１として平鋼１ａが、壁パネルの縦目地部３の上端から下端まで連続して縦目地３に狭持されている
平鋼１ａはその上部において、アングルピース２を介して梁８に固定されており、また下部において定規アングル７に直接固定されている。
このように平鋼１ａが壁パネルの縦目地部３の上端から下端まで連続していると、パネル長辺小口面３ａ全体が均一に押されるようになり、好ましい。
【００１１】
図１、図２または図３に示す実施形態では、縦目地部３上部の平鋼１ａは梁８にアングルピース２を介して固定されているが、梁８に平鋼１ａを直接溶接固定しても良い。
【００１２】
本発明における小口面当接部材１は、壁パネルのすべての縦目地部３に狭持されている必要はないが、各縦目地部３に狭持されていると、個々のパネル４が強制的に追従するようになるため、より好ましい。
【００１３】
小口面当接部材１は、その素材としては特に限定されず鋼材、プラスチック等剛体から成っていれば適用可能であり、パネル４を十分押すことができるが、鋼材であるとさらに十分な強度があり、また梁８などに溶接固定ができるため好ましい。
鋼材としては、鋼板、アングル鋼材、鋼棒等があるが、縦目地部３に狭持させて大部分を隠すことができるとともに溶接固定作業も容易である鋼板がより好ましい。
【００１４】
さらに、小口面当接部材１としてアングル鋼材１ｂを用いた第３実施形態を図４および図５に示す。
この第３実施形態は第１実施形態の平鋼１ａをアングル鋼材１ｂに置き換えたものである。すなわち、稲妻プレート５ａ、自重受け金具５ｂ、短冊プレート５ｃのパネル取付け部材５によって、パネル４がパネル取付け部１０ａ、１０ｂを支点としてロッキング可能なように梁８にパネル４が固定されている。
【００１５】
そして、図４および図５に示すように、パネル４の角に当接する山形鋼１ｂが、壁パネル４のパネル長辺小口面３ａの上部と下部とに分離して配設されている。上部の山形鋼１ｂでは、一方の片がパネル長辺小口面３ａに当接しており、また他方の片がパネル４の裏面に当接しているとともにアングルピース２を介して梁８に固定されている。また下部の山形鋼１ｂでは、一方の片がパネル長辺小口面３ａに当接しており、また他方の片がパネル４の裏面に当接しているとともに定規アングル７に直接固定されている。
【００１６】
このように小口面当接部材１をアングル鋼材１ｂとすると、アングルピース２等を介さなくても梁８に直接溶接固定できるようになるとともに、平鋼１ａに比べて溶接長も長くなり十分な溶接強度も得られるようになるため望ましい。また、建築現場においてアングル鋼材１ｂは、容易に入手できる。
また、図示しないが、図３と同様に山形鋼１ｂを縦目地部３の上端から下端まで連続させても良い。
【００１７】
小口当接部材１を縦目地部３に狭持させる際に、（図示しないが）小口当接部材１の厚みの分だけパネルの長辺小口面３ａを切削しておくと、小口当接部材１の厚みによって縦目地部３が余分に開くことがないとともに、さらに厚い強度のある小口当接部材１を狭持させることが可能になり好ましい。なお、縦目地部３には通常防水用にシール材を配設する。
【００１８】
次に本発明に係る壁パネルの取付け構造の適用例を、図６に基づいて説明する。
石膏ボード等の内装材９が複数のパネル４の表面に跨って貼着されていると、地震等の外力１１により発生する建物の層間変形に対して、各パネル４が追従（ロッキング）できなくなる。
【００１９】
しかし図１〜図５に示すような壁パネルの取付け構造にすることにより、図６に示すように、加わった外力１１が小口面当接部材１（平鋼１ａまたはアングル鋼材１ｂ）を経由してパネル４の縦目地部３のパネル長辺小口面３ａに直接かかるようになるため（図６において縦目地部３の太矢印）、パネル４は強制的に層間変形に追従するようになる。
その結果、図８に示したようなパネル４のパネル取付け部１０ａ、１０ｂ付近にひび割れ１２あるいは破損が発生する前に、内装材９に、図６に示すような、亀裂１３等を発生させてその内装材９を破損させることができるようになる。
【００２０】
本発明の壁パネルの取付け構造は、軽量気泡コンクリートパネル以外にも適用可能であるが、軽量気泡コンクリートパネルはその取付け部１０ａ、１０ｂに負荷がかかるとひび割れが発生し易いため、この壁パネルの取付構造は好適である。
【００２１】
【発明の効果】
本発明によれば、建物の層間変形に対してパネルの追従を阻害する要因があっても、強制的にパネルを追従させることが可能となる。これにより、例えば内装用のボードが貼着されている壁パネルにおいて、建物の層間変形を発生させる外力が加わった場合、パネルの取付け部にひび割れあるいは破損が発生する前にボードを破損させることが可能となる。
従って、パネルの落下の危険性もなくなり、また修繕が容易であるとともにその費用もパネルの交換に比べて安価になる等の効果を発揮する。
【図面の簡単な説明】
【図１】本発明における一実施形態を示す一部破断斜視図。
【図２】図１の側面図。
【図３】本発明における他の実施形態を示す一部破断斜視図。
【図４】本発明におけるさらに他の実施形態を示す一部破断斜視図。
【図５】図４の側面図。
【図６】本発明において、ボードがパネル表面に貼着された壁パネルに外力が加わった状態を示す説明図。
【図７】従来例におけるパネルの取付け状態を示す一部破断斜視図。
【図８】従来例におけるボードがパネル表面に貼着された壁パネルに外力が加わった状態を示す説明図。
１  小口面当接部材
１ａ  平鋼
１ａａ  突起部
１ｂ  アングル鋼材
２  アングルピース
３  縦目地部
３ａ  パネル長辺小口面
４  パネル
５  パネル取付け部材
５ａ  稲妻プレート
５ｂ  自重受け金具
５ｃ  短冊プレート
６  ボルト
７  定規アングル
８  梁
９  内装材（ボード）
１０a  、１０ｂ  パネル取付け部
１１  外力
１２  ひび割れ
１３  亀裂
【図１】
0004008117.tif 000002
【図２】
0004008117.tif 000003
【図３】
0004008117.tif 000004
【図４】
0004008117.tif 000005
【図５】
0004008117.tif 000006
【図６】
0004008117.tif 000007
【図７】
0004008117.tif 000008
【図８】
0004008117.tif 000009